(57)【要約】【課題】  操作パネルを有する印刷処理システムにおいて、処理中の印刷ジョブの停止、キャンセルを行うような際に、操作に不慣れであったり、印刷装置の予想外の動作に慌てたりするような場合においても、より早くユーザの要求を把握し、印刷ジョブの停止、キャンセルを行うことを目的とする。【解決手段】  印刷装置が印刷ジョブ処理中に、操作パネルに対して、正常操作として登録されていないような操作を行った場合に、処理中の印刷ジョブを停止し、ユーザが指定したジョブのキャンセルを行う。【選択図】  図６
2007055023.tif 000002
【特許請求の範囲】
【請求項１】
印刷装置が操作パネルを有し、印刷装置が、印刷ジョブ処理中に、操作パネルから操作が行われたことを検知する検知手段と、前記操作が正常な操作であるかどうかを判定する判定手段と、前記操作を無効化し、処理中の印刷ジョブを停止する第１の制御手段、を有することを特徴とする印刷処理システム。
【請求項２】
ユーザに印刷ジョブを指定させ、前記指定の印刷ジョブの取り消しを行う第２の制御手段、を有することを特徴とする請求項１記載の印刷処理システム。
【請求項３】
キャンセル操作として未登録であると判断された操作をキャンセル操作として記憶させる記憶手段、を有することを特徴とする請求項１記載の印刷処理システム。
【請求項４】
請求項１記載の検知手段は、印刷装置が印刷ジョブの処理を行う際、印刷装置に内蔵された入力装置に対して、何らかの操作が行われたことを検知する手段、を有することを特徴とする請求項１記載の印刷処理システム。
【請求項５】
請求項１記載の判定手段は、請求項１記載の検知手段により、何らかの操作が行われたことが検知された場合、前記操作が、事前に印刷ジョブ処理中の正常動作として登録されているか否かを判定する手段、を有することを特徴とする請求項１記載の印刷処理システム。
【請求項６】
キャンセル操作として登録されている操作が行われた場合、前記キャンセル操作に対する処理を、次回以降の処理において、他のキャンセル操作の処理よりも優先的に処理を行えるようにする優先処理選択手段、を有することを特徴とする請求項１記載の印刷処理システム。
【請求項７】
前記第２の制御手段は、前記第１の制御手段によって停止された印刷ジョブ、および、印刷装置内の記憶装置に登録されている印刷ジョブに対して、削除対象となる印刷ジョブの選択、および前記印刷ジョブの削除を行う手段、を有することを特徴とする請求項１記載の印刷処理システム。
【請求項８】
管理者認証を用いることで、自分以外のユーザの印刷ジョブに対しても、印刷ジョブの停止、キャンセルを行う第３の制御手段、を有することを特徴とする請求項１記載の印刷処理システム。
【発明の詳細な説明】
【技術分野】
【０００１】
本発明は、印刷装置を用いて、印刷ジョブに基づいた印刷を行うような、印刷処理システムに関係する。
【０００２】
印刷装置が、印刷ジョブ処理中に、操作パネルからの操作を受け付け、ジョブ制御、あるいは何らかの操作を行うことができるような印刷処理システムに特に関係する。
【０００３】
印刷装置が、印刷ジョブ処理中に、操作パネルからの操作を受け付け、管理者が、他ユーザの印刷ジョブの制御、あるいは何らかの処理を行うことができるような印刷処理システムに特に関係する。
【背景技術】
【０００４】
従来の印刷装置において、ユーザが誤った操作を行ったり、印刷装置のエラーなどから適切な印刷が行われていなかったり、印刷物の体裁がユーザの望むものと異なっていたりするような場合に、印刷中のジョブの一時停止を行うことがある。その際、タッチパネルの特定の領域に触れる、あるいは停止ボタンを押すなど、入力装置に対して、特定の操作を行うことで、その印刷ジョブの一時停止を行う。
【０００５】
又、従来例としては、例えば特許文献１をあげることが出来る。
【特許文献１】特開平１１−１１１１０４号公報
【発明の開示】
【発明が解決しようとする課題】
【０００６】
ここで、印刷ジョブの一時停止を行う際、前記従来例では、印刷装置の操作に不慣れである、あるいは印刷装置に予想外の動作が生じ、動揺するなどの場合、瞬時に適切な操作を行うことが困難であるという問題がある。
【０００７】
そのため、緊急時においても操作が容易であり、ユーザの要求をより早く把握し、印刷ジョブを停止することができるインターフェースを持つ印刷システムが望まれている。
【課題を解決するための手段】
【０００８】
上記問題点を解決することを目的とした、本出願に関わる発明の印刷システムは、以下の各項（１）〜（８）のいずれかに示す構成を備えることにより、前記目的を達成しようとするものである。
【０００９】
（１）操作パネルを有する印刷装置が、印刷ジョブ処理中に、操作パネルから操作が行われたことを検知する検知手段と、前記操作が正常な操作であるかどうかを判定する判定手段と、前記操作を無効化し、処理中の印刷ジョブを停止する第１の制御手段、を有することを特徴とする印刷処理システム。
【００１０】
（２）ユーザに印刷ジョブを指定させ、前記指定の印刷ジョブの取り消しを行う第２の制御手段、を有することを特徴とする前記（１）項記載の印刷処理システム。
【００１１】
（３）キャンセル操作として未登録であると判断された操作をキャンセル操作として記憶させる記憶手段、を有することを特徴とする前記（１）項記載の印刷処理システム。
【００１２】
（４）前記（１）項記載の検知手段は、印刷装置が印刷ジョブの処理を行う際、印刷装置に内蔵された入力装置に対して、何らかの操作が行われたことを検知する手段、を有することを特徴とする前記（１）項記載の印刷処理システム。
【００１３】
（５）前記（１）項記載の判定手段は、請求項１記載の検知手段により、何らかの操作が行われたことが検知された場合、前記操作が、事前に印刷ジョブ処理中の正常動作として登録されているか否かを判定する手段、を有することを特徴とする前記（１）項記載の印刷処理システム。
【００１４】
（６）キャンセル操作として登録されている操作が行われた場合、前記キャンセル操作に対する処理を、次回以降の処理において、他のキャンセル操作の処理よりも優先的に処理を行えるようにする優先処理選択手段、を有することを特徴とする前記（１）項記載の印刷処理システム。
【００１５】
（７）前記第２の制御手段は、前記第１の制御手段によって停止された印刷ジョブ、および、印刷装置内の記憶装置に登録されている印刷ジョブに対して、削除対象となる印刷ジョブの選択、および前記印刷ジョブの削除を行う手段、を有することを特徴とする前記（１）項記載の印刷処理システム。
【００１６】
（８）管理者認証を用いることで、自分以外のユーザの印刷ジョブに対しても、印刷ジョブの停止、キャンセルを行う第３の制御手段、を有することを特徴とする前記（１）項記載の印刷処理システム。
【発明の効果】
【００１７】
緊急時にユーザが行う恐れのある操作をカバーすることで、ユーザの要求をより早く把握することができ、ユーザの満足度を高めることができる。
【発明を実施するための最良の形態】
【００１８】
＜印刷装置概要＞
図１は、本発明の実施形態に関わる印刷装置のシステム構成の概略を示す図である。
【００１９】
図において、ホスト１０１は、例えば、コンピュータであり、画像情報の供給源、あるいは印刷装置の制御装置として機能する。この実施の形態においては、印刷装置１０２として、LBPを用いている。本実施形態において適用される印刷処理装置は、レーザービームプリンタに限られるものではなく、インクジェットプリンタ等他のプリント方式のプリンタでもよいことは言うまでもない。
【００２０】
プリンタコントローラ１０３は、ホスト１０１から供給される印刷装置制御言語（例えば、ＥＳＣコード、ページ記述言語等）に基づいて、ページ毎にラスタデータを生成し、プリンタエンジン１０５に送出する。
【００２１】
プリンタエンジン１０５は、プリンタコントローラ１０３から供給されるラスタデータに基づいて、感光ドラム上に潜像を形成し、その潜像を記録媒体上に転写・定着（電子写真方式）することにより画像を記録する。
【００２２】
パネル部１０４は、ユーザインタフェースとして使用される。ユーザは、パネル部１０４を操作することにより、所望の動作を指示することができる。また、パネル部１０４には、プリンタ１０２の処理内容や、ユーザへの警告内容が表示される。
【００２３】
図２は、タンデム方式のカラーLBP１０２の構成を説明する断面図である。
【００２４】
図において、２０１は、プリンタ筐体である。２０２は、ユーザが各種指示を与えるためのスイッチ、メッセージやプリンタの設定内容等を表示するためのＬＥＤ表示器やＬＣＤ表示器等が配され、かつユーザが各種指示を与えるための操作パネルであり、図１に示すパネル部１０４の一態様である。２０３は、ボード収容部であり、ビデオコントローラ１０３及びプリンタエンジン１０５の電子回路部分を構成するボードを収容する。
【００２５】
２２０は、用紙（記録媒体）Ｓを保持する用紙カセットであり、不図示の仕切り板によって電気的に用紙サイズを検知する機構を有する。２２１は、カセットクラッチであり、用紙カセット２２０上に載置された用紙Ｓの最上位の一枚を取り出して、取り出した用紙Ｓを不図示の駆動手段から伝達される駆動力によって給紙ローラ２２２まで搬送するカムを有する。このカムは、給紙の度に間欠的に回転し、１回転に対応して１枚の用紙Ｓを給紙する。２２３は用紙検知センサで、それぞれ用紙カセット２２０に保持されている用紙Ｓの量を検知する。
【００２６】
給紙ローラ２２２は、用紙Ｓの先端部をレジストシャッタ２２４まで搬送するローラである。２２４は、レジストシャッタであり、用紙Ｓを押圧することにより給紙を停止することができる。
【００２７】
２３０は、手差しトレイであり、２３１は、手差し給紙クラッチである。手差し給紙クラッチ２３１は、用紙Ｓの先端を手差し給紙ローラ２３２まで搬送するために使用され、手差し給紙ローラ２３２は、用紙Ｓの先端をレジストシャッタ２２４まで搬送するために使用される。画像記録に供する用紙Ｓは、用紙カセット２２０及び手差しトレイ２３０のいずれかの給紙手段を選択して給紙される。
【００２８】
プリンタエンジン１０５は、ビデオコントローラ１０３と所定の通信プロトコルにしたがって通信を行い、ビデオコントローラ部１０３からの指示にしたがって用紙カセット２２０手差しトレイ２３０の中からいずれかの給紙手段を選択し、印刷の開始指示に応じて該当する給紙手段よりレジストシャッタ２２４まで用紙Ｓを搬送する。なお、プリンタエンジン１０５は、給紙手段、潜像の形成、転写、定着等の電子写真プロセスに関する機構、排紙手段及びそれらの制御手段を含む。
【００２９】
２０４ａ、２０４ｂ、２０４ｃ、２０４ｄは、感光ドラム２０５ａ、２０５ｂ、２０５ｃ、２０５ｄやトナー保持部等を有する画像記録部であり、電子写真プロセスにより、用紙Ｓ上にトナー像を形成する。一方、２０６ａ、２０６ｂ、２０６ｃ、２０６ｄは、レーザースキャナ部であり、画像記録部にレーザービームによる画像情報を供給する。
【００３０】
画像記録部２０４ａ、２０４ｂ、２０４ｃ、２０４ｄには、用紙Ｓを搬送する用紙搬送ベルト２５０が複数の回転ローラ２５１〜２５４によって用紙搬送方向（図の下から上方向）に扁平に張設され、その最上流部においては、バイアスを印加した吸着ローラ２２５によって、用紙を用紙搬送ベルト２５０に静電吸着させる。またこのベルト搬送面に対向して４個の感光ドラム２０５ａ、２０５ｂ、２０５ｃ、２０５ｄが直線状に配設されており、画像形成手段を構成している。画像記録部２０４ａ、２０４ｂ、２０４ｃ、２０４ｄのそれぞれには、感光ドラムの周辺近傍を順次取り囲んで、帯電器、現像器が配置されている。
【００３１】
レーザースキャナ部２０６ａ、２０６ｂ、２０６ｃ、２０６ｄにおいて、２０７ａ、２０７ｂ、２０７ｃ、２０７ｄは、レーザーユニットであり、プリンタコントローラ１０３から送出される画像信号（／ＶＩＤＥＯ信号）に応じて、内蔵の半導体レーザーを駆動し、レーザービームを発射する。レーザーユニット２０７ａ、２０７ｂ、２０７ｃ、２０７ｄから発せられたレーザービームは、ポリゴンミラー（回転多面鏡）２０８ａ、２０８ｂ、２０８ｃ、２０８ｄにより走査され、感光ドラム２０５ａ、２０５ｂ、２０５ｃ、２０５ｄ上に潜像を形成する。
【００３２】
２６０は、定着器で、画像記録部２０４ａ、２０４ｂ、２０４ｃ、２０４ｄにより用紙Ｓに形成されたトナー画像を記録紙Ｓに熱定着させる。２６１は、搬送ローラで、用紙Ｓを排紙搬送する。２６２は、排紙センサで、用紙Ｓの排紙状態を検知する。２６３は、排紙ローラ兼両面印刷用搬送路切替えローラで、用紙Ｓを排紙方向へ搬送し、用紙Ｓの搬送指示が排紙の場合はそのまま排紙トレイ２６４に排紙し、搬送指示が両面搬送の場合は、用紙Ｓの後端が排紙センサ２６２を通過した直後に回転方向を逆向きに変え、スイッチバックすることにより用紙Ｓを両面印刷用搬送路２７０へ搬送する。２６５は排紙積載量検知センサで、排紙トレイ２６４上に積載された用紙Ｓの積載量を検知する。
【００３３】
２７０は、両面印刷用搬送路であり、排紙ローラ兼両面印刷用搬送路切替えローラ２６３により両面印刷用に搬送された用紙Ｓは、両面搬送ローラ２７１〜２７４によって再びレジストシャッタ２２４まで搬送されて画像記録部２０４ａ、２０４ｂ、２０４ｃ、２０４ｄへの搬送指示を待つ。
【００３４】
なお、LBP１０２には、さらにオプションカセットや封筒フィーダ等のオプションユニットを装備することができる。
【００３５】
図３は、プリンタコントローラ１０３の構成例を示すブロック図である。
【００３６】
図において、３０１は、パネル部１０４とのデータ通信を行うパネルインタフェース部である。ＣＰＵ  ３０９は、パネルインタフェース部３０１を介して、ユーザがパネル部１０４において設定・指示した内容を確認することができる。３０２は、ネットワークを介してホスト１０１等のデータ処理装置と双方向に通信接続するためのネットワークインターフェース部である。３０６は、プリンタエンジン１０５と通信接続するためのエンジンインタフェース部である。ＣＰＵ  ３０９は、エンジンインタフェース部３０６を介して、プリンタエンジン１０５の状態を認識することができる。
【００３７】
３０３は、ホスト１０１より供給された印刷装置制御言語に基づいて、プリンタエンジン１０５に供給するラスタデータを生成（ラスタライズ）する画像処理部である。３０５は、生成したラスタデータを一時的に保持するための画像メモリである。３０９は、ＲＯＭ  ３０４に保持された制御プログラムコードに基づいて、ＣＰＵバス３２０に接続されたデバイスを制御するＣＰＵである。３０７は、ＣＰＵ  ３０９が使用する一時記憶用メモリとしてのＲＡＭであり、図示しない増設ポートに接続されるオプションＲＡＭによりメモリ容量を拡張できるように構成されている。ＲＡＭ  ３０７は、描画オブジェクトを格納する描画オブジェクト格納部４０２、ＲＯＭ  ３０４に保持された制御プログラムによって一時的に使用されるワークメモリ等に用いられる。３１０は、例えば、濃度補正テーブル等の制御情報を保持するための不揮発性メモリで構成される。３０８は、ＤＭＡ制御部であり、ＣＰＵ  ３０９からの指示により画像メモリ３０５内のラスタデータをエンジンインタフェース部３０６に転送する。
【００３８】
３２０は、アドレス、データ、コントロールバスを含むＣＰＵバスである。パネルインタフェース部３０１、ネットワークインターフェース部３０２、画像処理部３０３、ＲＯＭ  ３０４、画像メモリ３０５、エンジンインタフェース部３０６、ＲＡＭ  ３０７、ＤＭＡ制御部３０８、ＣＰＵ  ３０９及びＥＥＰＲＯＭ  ３１０は、それぞれＣＰＵバス３２０に接続されたすべてのデバイスにアクセス可能である。
【００３９】
＜プリンタ処理フロー＞
本実施形態におけるプリンタの処理フローを、図４を用いて説明する。図４はプリンタの処理フローを示す図であり、図中の４０１から４０３は各ステップを示す。
【００４０】
プリンタの処理は、ステップ４０１で印刷装置制御言語（今後、PDLと呼ぶ）を受信し、ステップ４０２でPDLデータに従って画像形成処理を行い、ステップ４０３で形成した画像を紙に印刷し、本処理を終了する。
【実施例１】
【００４１】
図５を用いて、具体的な実施例を説明する。図５は、本実施例に関わる処理フローを示す一例であり、図中の５０１から５０８は各ステップを示す。
【００４２】
まず、ステップ５０１で、印刷ジョブを開始する。ステップ５０２で、印刷ジョブ実行中に何らかの操作が行われたかどうかを識別し、操作が行われていればステップ５０３に進み、操作が行われていなければステップ５０８に進む。ステップ５０３で、前記操作が正常な操作であるかどうかを識別し、正常な操作でなければステップ５０４へ進み、正常な操作であればステップ５０８に進む。ステップ５０４で、前記操作を無効化し、印刷ジョブを停止させる。ステップ５０５で、印刷ジョブのキャンセルを行うかどうかを選択し、キャンセルを行う場合はステップ５０６へ進み、行わない場合はステップ５０８へ進む。ステップ５０６で、キャンセルする印刷ジョブを選択し、ジョブのキャンセルを行う。ステップ５０７で、ユーザに対して、正常なジョブのキャンセル操作を認識させるため、パネルに正しいキャンセル操作を表示し、通知する。ステップ５０８で、印刷ジョブが存在するかどうかを識別し、存在する場合はステップ５０１へ戻り、存在しなければ本処理を終了する。
【００４３】
ここで、正常でない操作とは、印刷中に実行できるように設定が行われていない操作に加えて、複数のボタンが同時に押下されたり、タッチパネルの広い範囲や複数箇所に触れたりするなどの、ユーザが異常発生時に誤操作を行う可能性のある、入力装置への操作のことを指すものとする。
【実施例２】
【００４４】
図６を用いて、具体的な実施例を説明する。図６は、本実施例に関わる処理フローを示す一例であり、図中の６０１から６１２は各ステップを示す。
【００４５】
まず、ステップ６０１で、印刷ジョブを開始する。ステップ６０２で、印刷ジョブ実行中に何らかの操作が行われたかどうかを識別し、操作が行われていればステップ６０３に進み、操作が行われていなければステップ６１２に進む。ステップ６０３で、前記操作が正常な操作であるかどうかを識別し、正常な操作でなければステップ６０４へ進み、正常な操作であればステップ６１２に進む。ステップ６０４で、前記操作を無効化し、印刷ジョブを停止させる。ステップ６０５で、前記操作がキャンセル操作として登録されているかどうかを識別し、登録されている場合はステップ６０６へ進み、登録されていない場合はステップ６０７へ進む。ステップ６０６で、前記操作の処理の優先度を上げ、次回以降、同処理が行われた場合に、より早く処理を行うことができるように設定を行う。ステップ６０７で、前記操作がキャンセル操作かどうかを選択し、キャンセル操作である場合はステップ６０８へ進み、キャンセル操作でなければステップ６１２へ進む。ステップ６０８で、前記操作をキャンセル操作としてキャンセル操作リストに登録する。ステップ６０９で、印刷ジョブのキャンセルを行うかどうかを選択し、キャンセルを行う場合はステップ６１０へ進み、行わない場合はステップ６１２へ進む。ステップ６１０で、キャンセルする印刷ジョブを選択し、ジョブのキャンセルを行う。ステップ６１１で、ユーザに対して、正常なジョブのキャンセル操作を認識させるため、パネルに正しいキャンセル操作を表示し、通知する。ステップ６１２で、印刷ジョブが存在するかどうかを識別し、存在する場合はステップ６０１へ戻り、存在しなければ本処理を終了する。
【実施例３】
【００４６】
図７を用いて、具体的な実施例を説明する。図７は、本実施例に関わる処理フローを示す一例であり、図中の１から１７は各ステップを示す。
【００４７】
まず、ステップ７０１で、印刷ジョブを開始する。ステップ７０２で、印刷ジョブ実行中に何らかの操作が行われたかどうかを識別し、操作が行われていればステップ７０３に進み、操作が行われていなければステップ７１７に進む。ステップ７０３で、前記操作が正常な操作であるかどうかを識別し、正常な操作でなければステップ７０４へ進み、正常な操作であればステップ７１７に進む。ステップ７０４で、前記操作を無効化する。ステップ７０５で、実行中の印刷ジョブが自分のジョブであるかどうかを判断し、自分のジョブであればステップ７０６に進み、自分のジョブでなければステップ７０７に進む。ステップ７０６で、動作中の印刷ジョブを停止する。ステップ７０７で、管理者認証としてパスワードの入力を行い、パスワードが正しければステップ７０６に進み、誤りであればステップ７０８に進む。ステップ７０８で、前記操作がキャンセル操作として登録されているかどうかを識別し、登録されている場合はステップ７０９へ進み、登録されていない場合はステップ７１０へ進む。ステップ７０９で、前記操作の処理の優先度を上げ、次回以降、同処理が行われた場合に、より早く処理を行うことができるように設定を行う。ステップ７１０で、前記操作がキャンセル操作かどうかを選択し、キャンセル操作である場合はステップ７１１へ進み、キャンセル操作でなければステップ７１７へ進む。ステップ７１１で、前記操作をキャンセル操作としてキャンセル操作リストに登録する。ステップ７１２で、自分の印刷ジョブ以外のキャンセルを行うかどうかを選択し、自分の印刷ジョブ以外のキャンセルを行う場合はステップ７１３に進み、自分のジョブのみのキャンセルを行う場合はステップ７１５に進む。ステップ７１３で、管理者認証としてパスワードの入力を行い、パスワードが正しければステップ７１４に進み、誤りであればステップ７１５に進む。ステップ７１４で、全印刷ジョブの中からキャンセルする印刷ジョブを選択し、ジョブのキャンセルを行う。ステップ７１５で、自分の印刷ジョブの中からキャンセルする印刷ジョブを選択し、ジョブのキャンセルを行う。ステップ７１６で、ユーザに対して、正常なジョブのキャンセル操作を認識させるため、パネルに正しいキャンセル操作を表示し、通知する。ステップ７１７で、印刷ジョブが存在するかどうかを識別し、存在する場合はステップ７０１へ戻り、存在しなければ本処理を終了する。
【００４８】
ここで、管理者認証とは、本実施例で述べたような、予め記憶させてある管理者パスワードの入力を行うことだけでなく、指紋認証などのような、その他のユーザを特定が行えるようなものであればよいことは言うまでもない。
【００４９】
なお、これらの実施例ではＬＢＰを例にして説明したが、いかなる方式のプリンタであってもよいことは容易に推察できる。よって本発明はＬＢＰに限定されるものではない。
【図面の簡単な説明】
【００５０】
【図１】本発明の実施形態における、印刷装置のシステム構成の概略を示す図。
【図２】本発明の実施形態における、LBPの一構成例を示す断面図。
【図３】本発明の実施形態における、プリンタコントローラの構成例を示すブロック図。
【図４】本発明の実施形態における、プリンタの処理のフローチャート図。
【図５】実施例１の処理手順を示すフローチャート図。
【図６】実施例２の処理手順を示すフローチャート図。
【図７】実施例３の処理手順を示すフローチャート図
【符号の説明】
【００５１】
１０１  ホスト（コンピュータ）
１０２  LBP（レーザービームプリンタ）
１０３  プリンタコントローラ
１０４  パネル部
１０５  プリンタエンジン
２０１  プリンタ筐体
２０２  操作パネル
２０３  ボード収納部
２０４ａ，２０４ｂ，２０４ｃ，２０４ｄ  画像記録部
２０５ａ，２０５ｂ，２０５ｃ，２０５ｄ  感光ドラム
２０６ａ，２０６ｂ，２０６ｃ，２０６ｄ  レーザースキャナ部
２０７ａ，２０７ｂ，２０７ｃ，２０７ｄ  レーザーユニット
２０８ａ，２０８ｂ，２０８ｃ，２０８ｄ  ポリゴンミラー（回転多面鏡）
２２０  用紙カセット
２２１  カセットクラッチ
２２２  給紙ローラ
２２３  用紙検知センサ
２２４  レジストシャッタ
２２５  吸着ローラ
２３０  手差しトレイ
２３１  手差し給紙クラッチ
３２２  手差し給紙ローラ
２５０  用紙搬送ベルト
２５１〜２５４  回転ローラ
２６０  定着器
２６１  搬送ローラ
２６２  排紙センサ
２６３  排紙ローラ兼両面印刷用搬送路切替えローラ
２６４  排紙トレイ
２６５  排紙積載量検知センサ
２７０  両面印刷用搬送路
２７１〜２７４  両面搬送ローラ
３０１  パネルＩ／Ｆ部
３０２  ホストＩ／Ｆ部
３０３  画像処理部
３０４  ＲＯＭ
３０５  画像メモリ
３０６  エンジンＩ／Ｆ部
３０７  ＲＡＭ
３０８  ＤＭＡ制御部
３０９  ＣＰＵ
３１０  ＥＥＰＲＯＭ
３１１  ハードディスク
３２０  ＣＰＵバス
【図１】
2007055023.tif 000003
【図２】
2007055023.tif 000004
【図３】
2007055023.tif 000005
【図４】
2007055023.tif 000006
【図５】
2007055023.tif 000007
【図６】
2007055023.tif 000008
【図７】
2007055023.tif 000009